(57)【要約】固定ディスプレイデバイスと、コントローラーとを含むシステムを利用して、分散広告を成し遂げることができる。そのようなシステムは、その際、その場所をコントローラーに通信することができ、コントローラーは次に、ディスプレイデバイスに広告内容をダウンロードすることができる。ディスプレイデバイスを通り過ぎる視聴者の数によって決定されるような広告の有効性に少なくとも部分的に基づいて、ディスプレイデバイス所有者にその成果に対する報酬を支払うことができる。【選択図】なし【特許請求の範囲】
【請求項１】
固定ディスプレイデバイスと、
コントローラーと、
を備え、
前記ディスプレイデバイスは前記コントローラーと通信し、
前記ディスプレイデバイスは固定されており、
前記ディスプレイデバイス又は関連するデバイスは、前記コントローラーからの指示で広告を表示するように構成される、分散広告のシステム。
【請求項２】
前記ディスプレイデバイスは、ｉＰａｄ又は他のタブレットコンピューター、コンピューター又はスマートフォンによって制御されるモニター、広告内容を壁、スクリーン、窓、更には立ち込める蒸気又は煙等の表面上に投影するプロジェクター、及びピクセル化された大型ディスプレイを用いて改良された従来の大型広告看板からなるグループから選択される、請求項１に記載のシステム。
【請求項３】
コンパス、動作検知器、カメラ、前記ディスプレイデバイスの向きを判断するセンサー、及びその組み合わせからなるグループから選択された要素を更に備える、請求項１に記載のシステム。
【請求項４】
前記ディスプレイデバイスは、ジョイスティックを更に備える、請求項１に記載のシステム。
【請求項５】
前記ディスプレイデバイスは、消費者が利用可能なキーボードを更に備える、請求項１に記載のシステム。
【請求項６】
固定ディスプレイデバイスとコントローラーとの間の通信をワイヤレスで確立することを含む分散広告の方法であって、
前記ディスプレイデバイス又は関連するデバイスは該ディスプレイデバイス又は該関連するデバイスの場所を前記コントローラーにアップロードし、
前記コントローラーは、前記ディスプレイデバイスの前記場所に基づいて、前記ディスプレイデバイスに広告内容を送信する、方法。
【請求項７】
前記広告内容は、前記ディスプレイデバイスの前記場所に基づいて選択される、請求項６に記載の方法。
【請求項８】
広告主が、自分の広告が表示される地理的エリアの大きさを選択することができる、請求項６に記載の方法。
【請求項９】
ディスプレイデバイス所有者が、有効な広告に対して報酬を与えられる、請求項６に記載の方法。
【請求項１０】
最も近い視聴者及び最も遠い視聴者への前記ディスプレイデバイスの近接性を用いて、前記ディスプレイデバイス上の前記広告内容及びそのサイズの両方を選択することができる、請求項６に記載の方法。
【請求項１１】
単一の広告が２つ以上のディスプレイデバイスの間で分割される、請求項６に記載の方法。
【発明の詳細な説明】
【技術分野】
【０００１】
本発明は、分散広告に有用なシステムに関する。本発明は特に、広告内容が固定ディスプレイを用いて配信されるそのようなシステムに関する。
【背景技術】
【０００２】
現在、特に、ウェブサイトの数、及びインターネットへのアクセスを有するユーザーの数が、急速に、おそらく更には指数関数的に増大し続けているので、インターネットの使用、特にワールドワイドウェブ（これ以降、単に「ウェブ」と呼ばれる）の使用が爆発的に増大しつつある。そのような広告は、間違いなく有益であるが、欠点がないわけではない。
【０００３】
例えば、「クリック」広告は、有用であるが、広告と、サービスを必要とする消費者との間を結び付ける前に、多数の潜在的な消費者が複数の広告を見ることを必然的に要求する。別の言い方をすると、この種の広告は、関心のある購入者に受信してもらえるように、あらゆる方向に大量の広告を打つことを必要とする。
【０００４】
広告の技術分野において、比較的大量の、関心のある購入者／広告のインタラクションを生成しながら、固定広告資産（fixed advertising assets）を用いて商品及びサービスを選択的に広告できるようにすることが望ましい。
【発明の概要】
【０００５】
１つの態様において、本発明は、固定ディスプレイデバイス及びコントローラーを備える分散広告のためのシステムであり、固定ディスプレイデバイスはコントローラーと通信し、ディスプレイデバイス又は関連するデバイスは、コントローラーからの指示で広告を表示するように構成される。
【０００６】
別の態様において、本発明は、固定ディスプレイデバイスとコントローラーとの間で通信をワイヤレスで確立することを含む分散広告の方法であり、固定ディスプレイデバイスは、その場所をコントローラーにアップロードし、コントローラーは、ディスプレイデバイスの場所に基づいて、ディスプレイデバイスに広告内容を送信する。
【発明を実施するための形態】
【０００７】
１つの実施形態において、本発明は、固定ディスプレイデバイス及びコントローラーを備える分散広告のシステムであり、ディスプレイデバイスはコントローラーと通信し、ディスプレイデバイスは固定されており、ディスプレイデバイス又は関連するデバイスは、ＧＰＳ信号又はディスプレイデバイスの場所を特定するために使用することができる他の信号を受信し、解釈することができ、ディスプレイデバイス又は関連するデバイスは、コントローラーからの指示で広告を表示するように構成される。
【０００８】
本発明において、「分散広告」という用語は、固定ディスプレイを用いて一般大衆が利用できる広告を意味し、なお、広告される材料は、ディスプレイデバイスの場所に基づいて選択される。
【０００９】
本出願のシステムにおいて、「ディスプレイデバイス」は、ｉＰａｄ（登録商標）又は他のタブレットコンピューター、他のタイプの他のコンピューター、及び任意のサイズのディスプレイを有する任意の他のデバイスとすることができる。別の実施形態において、ディスプレイデバイスは、コンピューター又はスマートフォンによって制御されているモニターとすることができる。別の実施形態において、ディスプレイデバイスは、広告内容を、壁、スクリーン、窓、更には立ち込める蒸気又は煙等の表面上に投影するプロジェクターである。１つの特に有用な実施形態において、ディスプレイデバイスは、ピクセル化された大型ディスプレイを用いて改良された、道路沿いにあるような従来の大型広告看板とすることができる。
【００１０】
本出願において、コントローラーという用語は、ウェブ上のサーバー、ウェブに接続される場合があるか、又は接続されない場合があるが、Ｗｉ−Ｆｉ、Ｂｌｕｅｔｏｏｔｈ（登録商標）等を用いてワイヤレスで通信する能力を備えるスタンドアローンコンピューターを意味する。
【００１１】
広告に使用されるディスプレイデバイスは固定される。これは、それらのディスプレイデバイスが容易に搬送できないことを意味する。例えば、地面にコンクリートで固められた大型広告看板が固定ディスプレイデバイスである。
【００１２】
本出願のシステムにおいて、ディスプレイデバイスはサーバーにワイヤレスで接続されるように構成することができる。これを果たすことができる方法は、限定はしないが、携帯電話、Ｗｉ−Ｆｉ、Ｂｌｕｅｔｏｏｔｈ（登録商標）等で使用されるような、モバイルデータシステムを含む。
【００１３】
ディスプレイデバイスがコントローラーにワイヤレスで接続される関連デバイスを必要とする場合、これら２つのデバイスの組み合わせは、これ以降、本出願において単一のデバイスとして扱われることになる。
【００１４】
ディスプレイデバイスは、ＧＰＳ受信機、又はリアルタイム広告において有用であるほど地理に関して十分な精度で、ディスプレイデバイスがその現在の場所を特定できるようにする他のコンポーネントを含むことができる。これは、（容易に搬送可能とは異なるが）搬送可能である固定ディスプレイデバイスの場合に特に有用である。
【００１５】
本出願のシステム内で利用されるコントローラーは、広告情報又はデータをディスプレイデバイスにダウンロードするように構成される。
【００１６】
ディスプレイデバイス（場合によっては、関連するデバイスと組み合わせられる）は、コンパス、動作検知器、カメラ、ディスプレイデバイスの向きを特定するセンサー、及び広告を促進する任意の他のコンポーネントを更に備えることができる。そのようなコンポーネントは、広告情報又はデータを見る歩行者又は運転者の数の特定を容易にするコンポーネントを含む。
【００１７】
１つの実施形態において、ディスプレイデバイスは、他のディスプレイデバイスとともに動作するように構成することができる。例えば、１つの実施形態において、ディスプレイデバイスは実際には、単一のメッセージを表示するか、又は１つ若しくは２つのデバイスより短いメッセージを、３つ全てのデバイスにわたって動くように表示できるようにするために、ソフトウェアによってつぎ合わせられた３つのディスプレイデバイスとすることができる。
【００１８】
本出願の方法の実施の幾つかの実施形態において、ディスプレイデバイスはその場所をコントローラーに送信する。１つの実施形態において、コントローラーは、その際、地理的に近接しているベンダー又はサービスプロバイダーに関連するように選択された広告情報又はデータ（限定はしないが、写真、図画、図表等）をダウンロードすることができる。本出願において、「広告主」という用語は、広告目的で本出願のシステムを使用する申込者であるベンダー又はサービスプロバイダーを意味する。
【００１９】
広告主は、自らの広告が表示されることになる地理的エリアの大きさを選択することができる。その大きさは、広告主のタイプによって決まり、より厳密には広告主によって提供される商品又はサービス、及びこれらの迅速性、並びにディスプレイデバイスの速度によって決まる。
【００２０】
本出願の方法を用いる有用な固定ディスプレイデバイスは、その付近における交通（歩行者及び車両の両方）の量及び質を特定するために利用することができるコンポーネントを含むことができる。この特定を支援するために使用することができる１つのそのようなデバイスは、カメラである。別のそのようなデバイスは動作検知器である。デバイスではないが、ディスプレイデバイスが高速道路に近接している場合、交通情報サービスを用いて、広告内容の視聴者の数を推定することもできる。
【００２１】
本出願の方法の１つの態様は、本出願のシステムを利用して、広告を達成するためにディスプレイデバイス所有者に報酬を与えることである。本出願の方法の１つの実施形態において、ディスプレイデバイス所有者は、広告内容の視聴者の数に基づいて、報酬を支払われることになる。
【００２２】
ディスプレイデバイス所有者に報酬を与えるのに用いることに加えて、本出願のシステムを用いて、広告主に報告を与えることができる。例えば、１つの実施形態において、広告主のために、指定されたエリア内で行われた広告の数、広告された内容の視聴者の数、及びそれらの視聴が行われた日時を開示する報告を生成することができる。
【００２３】
本出願の方法の１つの望ましい実施形態において、ディスプレイデバイスから最も近い視聴者及び最も遠い視聴者までの近接性を用いて、ディスプレイデバイス上の広告内容と、その大きさとの両方を選択することができる。例えば、視聴者が遠くに離れている場合、又はディスプレイデバイスと視聴者との間の速度差が大きい場合には、必然的に、広告内容を相対的に大きくする必要がある。例示的な状況は、オートバイ運転者又は自転車運転者がディスプレイデバイスをすぐに通り過ぎる場合である。
【００２４】
対照的に、本出願の方法の別の望ましい実施形態は、ディスプレイデバイスがショッピングモール内に固定されている状況である。速度差は、視聴者の速度になるであろう。この状況では、視聴者はより長い時間をかけて広告を視聴することになるので、広告内容のサイズを相対的に小さくすることができる。
【００２５】
幾つかの実施形態において、コントローラーを利用して、ディスプレイデバイスの設定に変更を加えることができる。例えば、ディスプレイデバイスが利用されている場合に、コントローラーは、周囲光条件に対して有効であるように、ディスプレイデバイスの明るさを調整することができる。更に別の実施形態において、ディスプレイデバイス内のマイクロフォンを利用して、周囲雑音のレベルを判断し、その後、オーディオ成分を有する広告のためにディスプレイデバイスのスピーカー音量を調整することができる。
【００２６】
代替の実施形態において、コントローラーは、ｉＢｅａｃｏｎに幾分類似している、ショッピングモール内の特定の店舗内に配置されるデバイスとすることができ、店舗内のデバイスは、広告内容が表示されるべき近隣において、ディスプレイデバイスに、その広告内容を送信する。例えば、ショッピングモール内のベンダーが本出願のシステムに接続し、自分の店頭の５０フィート内で表示されるべき広告を指定することができる。
【００２７】
本出願の方法で利用されるディスプレイデバイスは、ディスプレイデバイス所有者の広告成果を検証し、定量化できるようにするコンポーネントを含む。例えば、ディスプレイデバイス内のカメラがアクセスされ、いかなる視聴者も示さない場合には、少なくとも幾つかの実施形態において、ディスプレイデバイス所有者は報酬を支払われないことになる。
【００２８】
ディスプレイデバイス所有者が、自分のディスプレイデバイス上に表示していても構わない広告のタイプを限定することを望む状況では、広告はタイプによってグループ化することができる。例えば、広告は、「環境保護」広告、成人向け広告、非菜食主義者広告等によってグループ化することができる。広告主又は広告のタイプのメニューが生成されると、ディスプレイデバイス所有者は、そのメニューから広告又は広告主を選択又は除外することを許される。
【００２９】
本出願の別の実施形態において、インターネットを用いて、ディスプレイデバイス所有者を勧誘することができる。
【００３０】
本出願の分散広告システムは、ディスプレイデバイス所有者がその成果に対して報酬を支払われるようにして利用することができる。本出願のシステムの１つの利点は、特定のベンダー又は他の場所に近接していることに基づいてディスプレイデバイス所有者を選択できることである。１つの実施形態において、本出願のシステムは、広告主が歩合制でディスプレイデバイス所有者に報酬を支払うことを提示するビジネスプランを用いて利用される。例えば、１つのそのような実施形態において、広告主は、その事業所の１ｋｍ以内のディスプレイデバイス所有者に＄５の歩合を提示し、５ｋｍ以内であるが、１ｋｍの外側にいるディスプレイデバイス所有者に＄３を提示し、事業所から５ｋｍより離れたディスプレイデバイス所有者に対して＄１の標準歩合を提示することに決めることができる。
【００３１】
代替の実施形態では、小売店舗に近接していることに基づく歩合ではなく、歩合はイベントに近接していることに関連している場合がある。例えば、フェスティバル等のイベントにおいて固定されたディスプレイを有するディスプレイデバイス所有者は、特定の広告主によって特に役に立つと見なされる場合があり、イベント／フェスティバルの期間中にその全体的な場所に対して代替の歩合が提示される場合がある。従来の広告と同様に、歩合は、ディスプレイデバイスのサイズ、タイプ及び場所に基づくことができる。
【００３２】
広告主が直面する場合がある１つの問題は、所与のエリア内にあまりにも多くのディスプレイデバイスが存在する場合があるという可能性である。広告主が全ての固定ディスプレイデバイスで広告することになる場合には、ディスプレイデバイスは実際には、広告でエリアを過飽和状態にする場合がある。この問題には幾つかの解決策があり、その解決策を本出願の方法の幾つかの実施形態において利用することができる。
【００３３】
１つの解決策は、一定の数の固定ディスプレイが、先着順に広告を表示できるようにすることである。その解決策の代替の実施形態では、広告主は、広告を入札にかけることができる。この実施形態では、広告主は、仕事がディスプレイデバイス所有者によって落札されるように、入札によって段階的に歩合を上げていき、全ての応募可能なポジションが落札されるまで仕事を提示することで、ディスプレイデバイス所有者が「仕事」を手に入れることができるようにする。
【００３４】
所与の地理的エリア内でディスプレイデバイスが超過である状況、又はディスプレイデバイスが従来の広告によって部分的にしか利用されていない状況において、本出願のシステムを利用して、ディスプレイデバイス所有者が、隙間を埋め、自らの資産を完全に利用できるようにすることができる。
【００３５】
更に別の実施形態において、広告主は、「エリート」ディスプレイデバイス所有者のグループから選択できる場合がある。ディスプレイデバイス所有者の地位は、全体的な利用可能性、どのくらいの数の人々（歩行者及び／又は運転者）がその広告内容を見るかに基づく有効性に基づいて判断することができ、その判断は、カメラ又は他の近接検知デバイスを用いて行われる。
【００３６】
本出願の方法の１つの極めて独自の実施形態では、広告の一部が各ディスプレイデバイス所有者に送られるように、広告内容を複数のディスプレイデバイス所有者に分配することができる。これは、昔のＢｕｒｍａ−Ｓｈａｖｅの看板に幾分類似している。２０世紀半ばに、シェービングクリームの製造業者が、高速道路に沿って一定の間隔で一連の看板を置いた。メッセージの全内容を得るために、運転者は、各看板を次々に見る必要がある。本出願のこの方法の１つの実施形態では、１０語の広告を１０人の個々のディスプレイデバイス所有者のディスプレイに表示することができる。更に別の代替の実施形態において、同じ１０人のディスプレイデバイス所有者が、単一の１０文字広告を完全に綴ることができる。これは、メッセージを強調するように単語及び／又は文字を空間的に配置できるように、スタジアムの座席が入手可能であるイベントにおいて特に有効である。
【００３７】
ディスプレイデバイスが入力に応じることができる、本出願の方法の実施形態では、その際、ディスプレイデバイスを見ている人々が入力できるようにする広告を表示することができる。１つのそのような広告は意識調査である。そのような広告の例示は、政党、市販製品等に関する観察者の好みの意識調査である。実際には、広告はディスプレイデバイス上に表示され、入力は、入力デバイスを用いて促されることになる。ディスプレイデバイスがタブレットコンピューターである場合、広告を見ている人は、ラジオボタン、又はタッチスクリーン上の他の入力に触れることができる。
【００３８】
更に特殊化したディスプレイデバイスを使用することができ、特殊化したディスプレイデバイスは、ゲームコントローラー、又はキーパッド、又はジョイスティック等の１つ又は複数の入力デバイスとのインターフェースを有するように構成される。これは、より長期の意識調査が伴う場合に特有に有用であろう。そのようなデバイスを利用することができる例示的な方法は、ディスプレイデバイスが、見ている人々に対して意識調査に参加するように勧誘を表示する方法であり、観察者が関心を示すと、観察者は入力デバイスを与えられて、ディスプレイデバイス上の意識調査に直接データを入力する。
【００３９】
意識調査に加えて、広告を見ている人々がクーポン又は他のインセンティブを受けるために連絡先情報を提供する場合に、類似の方法を利用することができる。割引のために小売業者に提示することができるクーポンコードの形をとることができる。代替の実施形態において、これは、ディスプレイデバイス所有者から入手可能であり、場合によっては幾つかのタイプの自動頒布機（automatic dispenser）を使用することによって入手可能になる実際のクーポンの形をとることができる。更に別の実施形態では、クーポンは、観察者がデジタルクーポン又は印刷可能クーポンにアクセスするためのリンクをディスプレイデバイス上に表示することによって入手可能にすることができる。当然、表示されたクーポンは、電子小売業者を含む、対象小売業者においてクーポンを商品又はサービスと引き換えるために使用される写真として、観察者がいつでも撮影することができる。例えば、ＱＲコード（登録商標）を含むクーポンを表示することができる。
【００４０】
本出願の方法の別の実施形態は、無料（pro bono）広告である。例えば、ディスプレイデバイス所有者が広告主によって積極的に報酬が支払われない期間中に自分の興味を引いた問題又は製品を売り込むことができる場合、本出願の方法を用いて、潜在的なディスプレイデバイス所有者がディスプレイデバイス所有者になるように奨励することができる。
【００４１】
本出願のシステムは、ディスプレイデバイス所有者を評価するのを容易にするコンポーネントを含むことができることが望ましい。既に論じられたように、考えられる大部分のディスプレイデバイスは、カメラ、スピーカー、マイクロフォン及び任意選択でＧＰＳ受信機を有する。また、幾つかの実施形態において、ディスプレイデバイスがＢｌｕｅｔｏｏｔｈ（登録商標）送受信機、Ｗｉ−Ｆｉ送受信機及び空間センサーを含むことは有用である。この機器の全てを利用して、ディスプレイデバイス所有者が広告主に対する義務に応えていることを確実にすることができる。これは、不正行為を防ぐとともに、「エリート」ディスプレイデバイス所有者を認識できるようにする。
【００４２】
本出願のシステムは、建設的な社会のために利用することができる。この例示は、博物館、慈善団体等のために無料広告がうたれる状況であろう。同様に、本出願のシステムは、竜巻警報、アンバーアラート、退避告知等の、重要な告知のために民間機関にアクセス可能にすることができる。
【００４３】
本出願のシステムを利用して、ロビイスト活動に関連する広告を戦略的に配置することができる。例えば、個人又はグループが、学校財政に関連する法案の通過に関わる議員に影響を与えたかった場合、州都に非常に近いディスプレイデバイス上に、又は十分に情報を収集して、議員の交通路に沿ったディスプレイデバイス上に、そのために必要な広告を表示することができる。
【００４４】
最後に、本出願の固定ディスプレイデバイスを用いて、製品、サービス又は非営利活動の販売及び提供のための電子支払を行うことができる。例えば、システムに直接、又はワイヤレスで接続されるＡｐｐｌｅ  Ｐａｙ（商標）、モバイルデバイススワイプカードリーダー、又は他の電子デバイスを用いて、販売を処理することができる。固定ディスプレイ広告システムは、購入者がクレジットカード情報及び配達情報を入力できるようにする手動入力デバイスを組み込むことができる。別の実施形態において、クレジットカード情報又は配達情報は、携帯電話又は他のポータブルデバイス上で実行されるアプリケーションを用いて入力することができる。
【００４５】
当業者に既知であるリモート又は自動販売を行うのに有用な任意の方法及び／又はデバイスを、本出願の固定ディスプレイ広告システムとともに利用することができる。そのような実施形態において、固定ディスプレイ広告システムは、Ａｍａｚｏｎ（商標）等の商品及び／又はサービスを扱っているエンティティに、取引を完了するために必要な情報を電子メールで送信するか、又はテキストで入力することができる。代替形態において、固定ディスプレイ広告システムは、販売者の特定の商品情報、又は更には販売者の一般的なウェブサイトを購入者に通知することができ、その際、購入者に、自分の裁量で購入を完了する機会を与えることができる。更に別の実施形態において、この情報は、将来の参照及び／又は配布のためにシステムによって保持される場合がある。そのような実施形態によれば、本出願の任意の固定ディスプレイ広告システムが、世界中の任意の販売者と接続し、ほとんどの場所においていつでも製品を広告し、直ちに販売を行うことができるようになる。
【００４６】
この概念を更に進めると、広告は、特定の「顧客」に向かって、更に個人向けに行うことができる。例えば、顧客が或る特定の場所を頻繁に訪れる場合には、その場所に関するカスタマイズされた広告を表示することができる。衣料品店の場合、その特定の店舗に、又は更には競合他社に関連する広告を表示することができる。
【００４７】
更に別のステップを更に進めると、任意の特定のクライアントに関して集められた情報を、将来使用するために保持することができる。この例示は、クライアントが特定のカジノにおいてギャンブルをするか、又は或る特定の高級品若しくは値の張る商品を購入する状況である。その状況は、特定の顧客がこれまでに購入してきた商品を購入するときに、一般の人々によって多くの場合に購入されるのとは全く異なる商品に関する広告を生成するための根拠にすることができる。
【００４８】
本出願の方法及びシステムは、ポータブルデバイス上で使用するためにダウンロードすることができるソフトウェアを含むことができる。このソフトウェアを用いて、更なる機能に関して広告デバイスとインタラクトすることができる。この例示は、レストランのための広告又はＯＰＥＮ  ＴＡＢＬＥ（商標）等のサービスによる広告が表示されており、ユーザーが予約を入れるためにディスプレイデバイスとインタラクトすることができる事例である。また、ソフトウェアを用いて、ダウンローダーからデータを収集することができ、その後、ディスプレイデバイスによって、広告を調整するか、又は他のコンテンツの配信を調整するために利用することができる。
【００４９】
本出願のシステム及びデバイスは、主に広告の形をとる情報の配信に向けられているが、本出願のシステム及びデバイスを用いて、他のコンテンツを配信することができる。そのようなコンテンツは、限定はしないが、書籍又は他の文書、ストリーミングビデオ等のエンタテイメント等を含む。
【００５０】
「小売業者」という用語を用いて、本出願の方法及びシステムを利用する場合がある対象者を説明してきたが、本出願のシステム及び方法は、任意の種類の商店主、及び政治若しくは政策又は任意の他の種類の非営利的な陳述に関連する情報を伝えようとしている人々によって利用される場合がある。例えば、商店主が衣料品を販売することに加えて、本出願のシステム及び方法は、食品販売者（ピザ屋等）、政治家候補者、更には世論調査員によって利用される場合がある。
【国際調査報告】
2018500621.tif 000002
2018500621.tif 000003